(57)【要約】【課題】商用電源が停電しても装置が停止することなく、また、パルス信号の入力状態の表示に係る消費電力を小さくし、バッテリーによる駆動時間を延ばすことができるパルス検出装置を提供する。【解決手段】パルス検出装置１はパルス出力機器２に設けられた無電圧接点２ａの開閉によるパルス信号を検出し、パルス信号の閉信号を検出している間はＬＥＤ６を点灯し、パルス信号の開信号を検出している間はＬＥＤ６を消灯する通常モードと、パルス信号の閉信号を検出すると一瞬だけＬＥＤ６を点灯させる省電力モードの２つの表示モードを備え、通常は商用電源７で駆動して商用電源７が停電した際はバッテリー１０で駆動するように構成し、商用電源７により通常モードで入力状態の表示をしている際に商用電源７が停電したことを停電検出部１１が検出すると、自動的に通常モードから省電力モードに切り替えるようにする。【選択図】図１
2011226937.tif 000002
【特許請求の範囲】
【請求項１】
パルス出力機器に設けられた無電圧接点の開閉によるパルス信号を検出し、該パルス信号の入力状態をランプにより表示するパルス検出装置において、前記パルス信号の閉信号を検出している間は前記ランプを点灯し、前記パルス信号の開信号を検出している間は前記ランプを消灯する通常モードと、前記パルス信号の閉信号を検出している時間より短い時間前記ランプを点灯させる省電力モードとを備えたことを特徴とするパルス検出装置。
【請求項２】
通常は商用電源で駆動するとともに該商用電源が停電した際に電池電源で駆動するように構成し、前記通常モードで入力状態の表示をしている際に前記商用電源が停電したことを停電検出部が検出すると、自動的に前記通常モードから前記省電力モードに切り替えることを特徴とする請求項１に記載のパルス検出装置。
【発明の詳細な説明】
【技術分野】
【０００１】
本発明は、電力メータやガスメータや水道メータなどのパルス出力機器から出力されるパルス信号を検出するパルス検出装置に関する。
【背景技術】
【０００２】
電力メータやガスメータや水道メータなどの各種メータには外部計測器で電力、ガス、水道などの使用量を計測できるように出力機能を備えており、出力方法としてパルス出力によるものがある。そして外部計測器にはこれらメータのパルス出力機器から出力されるパルス信号を検出するためにパルス検出装置を備えている（例えば、特許文献１参照）。パルス検出装置はパルス出力機器に設けられた無電圧接点の開閉によるパルス信号を検出し、検出したパルス信号の入力状態がわかるようにパルス信号に同期させてランプを点滅させるようになっており、パルス出力機器の無電圧接点がオンして閉信号を検出している間はランプを点灯し、無電圧接点がオフして開信号を検出している間はランプを消灯するようになっている。このとき、パルス検出装置の電源としては商用電源又は電池やバッテリーなどの電池電源が使用されている。
【先行技術文献】
【特許文献】
【０００３】
【特許文献１】特開２００８−３０４２７３号公報（図１）
【発明の概要】
【発明が解決しようとする課題】
【０００４】
パルス出力機器は無電圧接点の開閉時間が等間隔となるように制御されるものが多く、この場合、パルス信号の開信号と閉信号の間隔がほぼ同じ時間であるため、従来のパルス検出装置ではランプの点灯時間が長く、電池電源で使用する際に電池電源の消費が早いという欠点があった。
【課題を解決するための手段】
【０００５】
請求項１に記載の発明によれば、パルス出力機器に設けられた無電圧接点の開閉によるパルス信号を検出し、パルス信号の入力状態をランプにより表示するパルス検出装置において、パルス信号の閉信号を検出している間はランプを点灯し、パルス信号の開信号を検出している間はランプを消灯する通常モードと、パルス信号の閉信号を検出している時間より短い時間ランプを点灯させる省電力モードとを備えたことを特徴とする。
【０００６】
請求項２に記載の発明によれば、請求項１に記載のパルス検出装置において、通常は商用電源で駆動するとともに商用電源が停電した際に電池電源で駆動するように構成し、通常モードで入力状態の表示をしている際に商用電源が停電したことを停電検出部が検出すると、自動的に通常モードから省電力モードに切り替えることを特徴とする。
【発明の効果】
【０００７】
請求項１に記載の発明によれば、パルス信号の入力状態をパルス信号の開閉に合わせて確認できる通常モードと、パルス信号が入力されていることを確認できる上、通常モードによる通常の表示に比べて少ない消費電力で駆動することができる省電力モードとを任意に選択して使用することができるという効果がある。
【０００８】
請求項２に記載の発明によれば、請求項１に記載の発明の効果に加えて、商用電源が停電してもパルス検出装置が停止することなく動作し続け、而も消費電力を抑えた表示を行うことで電池電源による駆動時間を延ばすことができるという効果がある。
【図面の簡単な説明】
【０００９】
【図１】本発明に係るパルス検出装置のシステムを示すブロック図である。
【図２】パルス信号とＬＥＤ点灯の関係を説明する図であり、（ａ）は通常モード、（ｂ）は省電力モードを示す。
【図３】パルス検出装置の動作を示すフローチャートである。
【発明を実施するための形態】
【００１０】
パルス検出装置はパルス出力機器に設けられた無電圧接点の開閉により無電圧入力端子に入力されるパルス信号を検出し、パルス信号の閉信号を検出している間はＬＥＤを点灯し、パルス信号の開信号を検出している間はＬＥＤを消灯する通常モードと、パルス信号の閉信号を検出すると一瞬だけＬＥＤを点灯させる省電力モードの２つの表示モードを備え、通常は商用電源で駆動して商用電源が停電した際はバッテリーで駆動するように構成し、商用電源により通常モードで入力状態の表示をしている際に商用電源が停電したことを停電検出部が検出すると、自動的に通常モードから省電力モードに切り替えるようにする。
【実施例１】
【００１１】
本発明に係るパルス検出装置の実施例１を図１〜図３の添付図面に基づいて説明する。
【００１２】
パルス検出装置１は電力メータやガスメータや水道メータなどのパルス出力機器２に接続された出力線３が接続される無電圧入力端子４と、パルス出力機器２に設けられた無電圧接点２ａの開閉により無電圧入力端子４に入力されるパルス信号を検出する主演算部としてのＣＰＵ５と、ＣＰＵ５の制御によりパルス信号の入力状態を表示するランプであるＬＥＤ６と、商用電源７が接続される電源接続端子８と、商用電源７の交流電源を直流電源に変換してＣＰＵ５やＬＥＤ６などに電源を供給するＡＣ／ＤＣ変換部９と、商用電源７の停電時にＣＰＵ５やＬＥＤ６などに電源を供給する電池電源であるバッテリー１０と、商用電源７の停電を検出する停電検出部１１とを備えて構成している。
【００１３】
パルス検出装置１は無電圧入力端子４に入力されるパルス信号の入力状態がわかるようにパルス信号に同期させてパルス信号の閉信号を検出している間はＬＥＤ６を点灯し、パルス信号の開信号を検出している間はＬＥＤ６を消灯する通常モードと、パルス信号の閉信号を検出している時間より短い時間だけＬＥＤ６を点灯させる省電力モードの２つの表示モードを備えている。
【００１４】
通常、パルス検出装置１は商用電源７から各部に電源を供給することで駆動して通常モードで入力状態の表示をしており、商用電源７が停電した場合はバッテリー１０から各部に電源を供給して駆動するように構成している。そして、商用電源７の停電を停電検出部１１が検出し、ＣＰＵ５が自動的に表示モードを通常モードから省電力モードに切り替えるようにしている。
【００１５】
この動作を図３のフローチャートで説明すると、商用電源７が停電していないかを停電検出部１１が検出し（ステップ１）、商用電源７が停電していない、即ち、商用電源７が通電されている場合は通常モードで表示を行う。通常モードでは、まず、ＣＰＵ５が無電圧入力端子４の入力状態を検出するためにパルス信号を検出し（ステップ２）、ここでパルス信号が閉信号の場合はＬＥＤ６を点灯させる（ステップ３）。そして、ＬＥＤ６を点灯させたら再びステップ１に戻り、ステップ２においてパルス信号が開信号になるとＬＥＤ６を消灯させる（ステップ４）。ＬＥＤ６を消灯したら再びステップ１に戻り、動作を繰り返し行うことでパルス信号が閉信号の間はＬＥＤ６が点灯し、パルス信号が開信号の間はＬＥＤ６が消灯してパルス信号に同期した表示を行うため、ユーザはパルス信号の入力状態を確認することができる。
【００１６】
また、ステップ１において停電検出部１１が停電を検出した場合は省電力モードで表示を行う。省電力モードでも、まず、ＣＰＵ５が無電圧入力端子４の入力状態を検出するためにパルス信号を検出し（ステップ５）、パルス信号が閉信号の場合、ＬＥＤ６を一瞬だけ点灯させ（ステップ６）、その後ＬＥＤ６を消灯させる（ステップ７）。そして、ステップ１に戻って動作を繰り返し行うことでパルス信号の閉信号を検出した一瞬だけＬＥＤ６を点灯するため、ユーザはパルス信号が入力されていることを確認することができる。尚、ＬＥＤ６を点灯させる時間は閉信号を検出している時間より短い時間であればよく、タイマーで調節するようにしてもよい。
【００１７】
このように、パルス検出装置１は商用電源７が停電すると自動的に通常モードから省電力モードに切り替えるのでバッテリーによる駆動時間を延ばすことができる。
【００１８】
尚、本実施例においてパルス検出装置は商用電源７の通電状態を検出して自動的に通常モードと省電力モードを切り替えるようにしているが、ユーザが任意に表示モードの切替をすることも可能である。
【符号の説明】
【００１９】
１    パルス検出装置
２    パルス出力機器
５    ＣＰＵ
６    ＬＥＤ
７    商用電源
１０    バッテリー
１１    停電検出部
【図１】
2011226937.tif 000003
【図２】
2011226937.tif 000004
【図３】
2011226937.tif 000005